(57)【要約】【課題】映像音響機器において、ソフトウェアや回路の変更を伴わずに、本体操作キーへの機能の割当てを任意に設定できるようにする。【解決手段】映像音響機器は、本体操作キーへの機能の割当てを設定する機能割当設定動作を実行する。映像音響機器は、機能割当設定動作において、まず、設定案内を表示する（＃１）。設定案内は、本体操作キーへの機能の割当てを設定するための操作をユーザに行わせるための案内であり、機能を示す表示、及び機能を割当てたい本体操作キーの操作を促す表示、を含んでいる。そして、設定案内を表示しているときに、本体操作キーが操作されると（＃２でＹＥＳ）、その操作された本体操作キーに、設定案内に表示している機能を割当てる（＃３）。一方、設定案内を表示しているときに、本体操作キーが操作されることなく所定時間経過すると（＃４でＹＥＳ）、本体操作キーのいずれにも、設定案内に表示している機能を割当てない。【選択図】図４
2013153348.tif 000002
【特許請求の範囲】
【請求項１】
ユーザが本装置の動作を指示するために操作する複数の本体操作キーを備え、前記本体操作キーの各々に、映像に関する機能、及び音声に関する機能、を含む本装置の実行する機能が割当てられ、前記本体操作キーの操作に応じて、前記本体操作キーに割当てられた機能を実行する映像音響機器において、
前記本体操作キーへの機能の割当てを設定する機能割当設定手段を備える、ことを特徴とする映像音響機器。
【請求項２】
前記機能割当設定手段は、
前記本体操作キーへの機能の割当てを設定するための操作をユーザに行わせるための設定案内を表示し、該設定案内は、機能を示す表示、及び機能を割当てたい本体操作キーの操作を促す表示、を含むものであり、
前記設定案内を表示しているときに、前記本体操作キーが操作されると、その操作された本体操作キーに前記設定案内に表示している機能を割当てる、ことを特徴とする請求項１に記載の映像音響機器。
【請求項３】
前記機能割当設定手段は、前記設定案内を表示しているときに、前記本体操作キーが操作されることなく所定時間経過すると、前記本体操作キーのいずれにも前記設定案内に表示している機能を割当てない、ことを特徴とする請求項２に記載の映像音響機器。
【請求項４】
前記機能割当設定手段は、前記本体操作キーに割当可能な複数の機能について、順次、前記設定案内を表示する、ことを特徴とする請求項２又は請求項３に記載の映像音響機器。
【請求項５】
前記機能割当設定手段は、前記本体操作キーの全てに、本装置の実行する機能が割当てられるか、又は、前記本体操作キーに割当可能な全ての機能について、前記設定案内を表示し終えると、前記本体操作キーへの機能の割当てをユーザに確認させるための設定確認画面を表示する、ことを特徴とする請求項４に記載の映像音響機器。
【発明の詳細な説明】
【技術分野】
【０００１】
本発明は、映像に関する機能、及び音声に関する機能を実行する映像音響機器に関するものである。
【背景技術】
【０００２】
従来から、例えばテレビジョン受信装置などの映像音響機器において、本体が複数の本体操作キーを備え、本体操作キーの各々に、映像に関する機能、及び音声に関する機能、を含む映像音響機器の実行する機能が割当てられ、本体操作キーの操作に応じて、本体操作キーに割当てられた機能を実行するものがある。各本体操作キーへの機能の割当ては、予め固定的に（変更不可能に）設定されている。
【０００３】
一方、キーボードに設けられているファンクションキーに、自由に各種機能を割り当てることができるようにしたものが知られている（例えば特許文献１参照）。
【先行技術文献】
【特許文献】
【０００４】
【特許文献１】実開平６−２４３９号公報
【発明の概要】
【発明が解決しようとする課題】
【０００５】
ところで、上述した従来の映像音響機器において、本体の筐体及び本体操作キーの並び順が異なる複数のモデルがある。そこで、コスト削減のために、それまでの複数のモデル間で本体の筐体を共通使用することが考えられる。しかしながら、複数のモデル間で本体の筐体を共通使用したとしても、本体操作キーの並び順は、複数のモデル間で異なっており、複数のモデル間で本体操作キーへの機能の割当ては同じにはならない。従って、複数のモデル間で本体の筐体を共通使用すると共に、複数のモデル間で本体操作キーへの機能の割当てを同じ割当てにするには、ソフトウェアの修正や回路の変更が必要となり、その結果、開発工数（費用）の増加の一因となる。なお、上述した特許文献１に開示の内容を適用したとしても、上記の問題を解決することはできない。
【０００６】
本発明は、上記課題を解決するためになされたものであり、ソフトウェアや回路の変更を伴わずに、本体操作キーへの機能の割当てを任意に設定することができる映像音響機器を提供することを目的とする。
【課題を解決するための手段】
【０００７】
上記目的を達成するために請求項１の発明は、ユーザが本装置の動作を指示するために操作する複数の本体操作キーを備え、本体操作キーの各々に、映像に関する機能、及び音声に関する機能、を含む本装置の実行する機能が割当てられ、本体操作キーの操作に応じて、本体操作キーに割当てられた機能を実行する映像音響機器において、本体操作キーへの機能の割当てを設定する機能割当設定手段を備えるものである。
【０００８】
請求項２の発明は、請求項１に記載の映像音響機器において、機能割当設定手段は、本体操作キーへの機能の割当てを設定するための操作をユーザに行わせるための設定案内を表示し、該設定案内は、機能を示す表示、及び機能を割当てたい本体操作キーの操作を促す表示、を含むものであり、設定案内を表示しているときに、本体操作キーが操作されると、その操作された本体操作キーに設定案内に表示している機能を割当てるものである。
【０００９】
請求項３の発明は、請求項２に記載の映像音響機器において、機能割当設定手段は、設定案内を表示しているときに、本体操作キーが操作されることなく所定時間経過すると、本体操作キーのいずれにも設定案内に表示している機能を割当てないものである。
【００１０】
請求項４の発明は、請求項２又は請求項３に記載の映像音響機器において、機能割当設定手段は、本体操作キーに割当可能な複数の機能について、順次、設定案内を表示するものである。
【００１１】
請求項５の発明は、請求項４に記載の映像音響機器において、機能割当設定手段は、本体操作キーの全てに、本装置の実行する機能が割当てられるか、又は、本体操作キーに割当可能な全ての機能について、設定案内を表示し終えると、本体操作キーへの機能の割当てをユーザに確認させるための設定確認画面を表示するものである。
【発明の効果】
【００１２】
請求項１の発明によれば、機能割当設定手段によって本体操作キーへの機能の割当てを設定することにより、ソフトウェアや回路の変更を伴わずに、本体操作キーへの機能の割当てを任意に設定することができる。これにより、複数のモデル間で本体の筐体を共通使用するときに、生産段階において生産作業者が機能割当設定手段によって本体操作キーへの機能の割当てを設定することにより、ソフトウェアや回路の変更を伴わずに、複数のモデル間で本体操作キーへの機能の割当てを同じ割当てにすることができ、開発工数（費用）の増加を抑制することができる。また、ユーザが新しいモデルの製品に買い替えたときに、ユーザが機能割当設定手段によって本体操作キーへの機能の割当てを設定することにより、本体操作キーへの機能の割当てをそれまで使用していた製品と同じ割当てに変更することができ、利便性が向上する。
【００１３】
請求項２及び請求項３の発明によれば、生産作業者又はユーザは、設定案内に従って本体操作キーを操作するだけで、本体操作キーへの機能の割当てを設定することができる。従って、生産作業者又はユーザは、簡単な操作によって、本体操作キーへの機能の割当てを設定することができる。
【００１４】
請求項４の発明によれば、生産作業者又はユーザは、順次表示される設定案内に従って本体操作キーを操作するだけで、本体操作キーへの機能の割当てを任意に設定することができる。従って、生産作業者又はユーザは、簡単な操作によって、本体操作キーへの機能の割当てを任意に設定することができる。
【００１５】
請求項５の発明によれば、本体操作キーへの機能の割当ての設定が完了すると、設定確認画面が自動的に表示される。従って、生産作業者又はユーザは、本体操作キーへの機能の割当てを設定したとき、自動的に表示される設定確認画面を見ることによって、本体操作キーへの機能の割当ての設定を確認することができる。
【図面の簡単な説明】
【００１６】
【図１】本発明の第１の実施形態に係るテレビジョン受信装置の概略構成を示す平面図。
【図２】同テレビジョン受信装置の電気的ブロック構成図。
【図３】同テレビジョン受信装置の本体操作キーに割当可能な機能の例を示す図。
【図４】同テレビジョン受信装置の機能割当設定動作を示すフローチャート。
【図５】本発明の第２の実施形態に係るテレビジョン受信装置の概略構成を示す平面図。
【図６】同テレビジョン受信装置の電気的ブロック構成図。
【発明を実施するための形態】
【００１７】
以下、本発明を具体化した実施形態による映像音響機器について図面を参照して説明する。
＜第１の実施形態＞
まず、第１の実施形態による映像音響機器について説明する。図１は、第１の実施形態による映像音響機器であるテレビジョン受信装置の構成を示す。テレビジョン受信装置１は、映像に関する機能、及び音声に関する機能を実行する装置であって、テレビジョン放送局から放送されるテレビジョン信号を受信して、テレビジョン信号による映像を表示すると共に、テレビジョン信号による音声を出力する装置である。
【００１８】
テレビジョン受信装置１は、本体１０と、リモコン（リモートコントローラ）２０とを備える。
【００１９】
本体１０は、テレビジョン信号の受信やテレビジョン信号による映像、音声を含む各種映像、音声の出力の制御等を行うものである。本体１０は、ディスプレイ２と、スピーカ３と、本体操作部４と、リモコン受信部５と、これらを一体的に収納、支持する筐体６とを備える。すなわち、本体１０は、ディスプレイ２、スピーカ３、本体操作部４、リモコン受信部５、及び筐体６が一体的に構成されたものである。
【００２０】
ディスプレイ２は、テレビジョン信号による映像を含む各種映像を表示するものである。スピーカ３は、テレビジョン信号による音声を含む各種音声を出力するものである。本体操作部４は、ユーザがテレビジョン受信装置１の動作を指示するために操作するものである。本体操作部４は、複数の本体操作キー４ａ、４ｂ、４ｃ、４ｄ、４ｅ、４ｆ、４ｇ、４ｈ、４ｉを有している。複数の本体操作キー４ａ〜４ｉは、ユーザがテレビジョン受信装置１の動作を指示するために操作するものである。リモコン受信部５は、リモコン２０から赤外線によって送信されるリモコン操作信号を受信するものである。
【００２１】
リモコン２０は、ユーザが本体１０から遠隔した場所でテレビジョン受信装置１の動作を指示するために操作するものであり、本体１０と別体に構成されている。リモコン２０は、各種リモコン操作キーを有している。各種リモコン操作キーは、ユーザがテレビジョン受信装置１の動作を指示するために操作するものである。リモコン２０は、ユーザにより各種リモコン操作キーが操作されることにより、その操作内容（ユーザによるリモコン２０の操作内容）に対応するリモコン操作信号を赤外線によって送信する。
【００２２】
このような構成のテレビジョン受信装置１は、本体操作キー４ａ〜４ｉの各々に、映像に関する機能、及び音声に関する機能、を含むテレビジョン受信装置１の実行する機能が割当てられ、本体操作キー４ａ〜４ｉの操作に応じて、本体操作キー４ａ〜４ｉに割当てられた機能を実行するようになっている。また、テレビジョン受信装置１は、リモコン２０の操作に応じて、テレビジョン受信装置１の各種機能を実行するようになっている。
【００２３】
このテレビジョン受信装置１は、本体操作キー４ａ〜４ｉのうち、本体操作キー４ａに、テレビジョン受信装置１の実行する機能のうち、テレビジョン受信装置１の電源をオン、オフする機能が予め固定的に（変更不可能に）割当てられている。そして、本体操作キー４ａ〜４ｉのうち、本体操作キー４ｂ〜４ｉに、テレビジョン受信装置１の実行する機能のうち、予め定められた所定の機能を任意に割当てることができるようになっている。
【００２４】
図２は、テレビジョン受信装置１の電気的ブロック構成を示す。本体１０は、上述の構成に加え、チューナ１１と、ＨＤＤ１２と、入力切換部１３と、映像音声処理部１４と、メモリ１５と、テレビジョン受信装置１の動作を制御する制御部１６とを備える。
【００２５】
ディスプレイ２は、制御部１６による制御のもと、映像信号が入力されることにより、その映像信号による映像を表示する。スピーカ３は、制御部１６による制御のもと、音声信号が入力されることにより、その音声信号による音声を出力する。
【００２６】
本体操作部４は、本体操作キー４ａ〜４ｉが操作（押下）されると、その操作された本体操作キー４ａ〜４ｉに対応する本体操作信号を出力する。このとき、本体操作部４は、操作された本体操作キー４ａ〜４ｉによって異なる電圧値の電圧を本体操作信号として出力する。すなわち、本体操作部４は、本体操作キー４ａが操作されると、電圧値ａの電圧を本体操作信号として出力し、本体操作キー４ｂが操作されると、電圧値ｂの電圧を本体操作信号として出力し、・・・、本体操作キー４ｉが操作されると、電圧値ｉの電圧を本体操作信号として出力する。また、本体操作部４は、本体操作キー４ａ〜４ｉが操作されている間（押下されている間）、本体操作信号を出力する。
【００２７】
リモコン２０は、上述のように、ユーザにより各種リモコン操作キーが操作されることにより、その操作内容（ユーザによるリモコン２０の操作内容）に対応するリモコン操作信号を赤外線によって送信する。リモコン受信部５は、リモコン２０から赤外線によって送信されるリモコン操作信号を受信すると、受信したリモコン操作信号に対応する（すなわち、ユーザによるリモコン２０の操作内容に対応する）リモコン受信信号を出力する。
【００２８】
チューナ１１は、制御部１６による制御のもと、制御部１６の指定するチャンネルのテレビジョン信号をアンテナ１ａを介して受信する。そして、チューナ１１は、制御部１６による制御のもと、受信したテレビジョン信号を復調、復号処理して、受信したテレビジョン信号による映像信号及び音声信号を生成すると共に、番組データ信号、ＥＰＧデータ信号、字幕データ信号等を抽出する。
【００２９】
ＨＤＤ１２は、ハードディスク３０を内蔵しており、制御部１６による制御のもと、チューナ１１により生成された映像信号及び音声信号をハードディスク３０に記録する。また、ＨＤＤ１２は、制御部１６による制御のもと、ハードディスク３０に記録されている映像信号及び音声信号を読出す。
【００３０】
入力切換部１３は、制御部１６による制御のもと、映像信号及び音声信号のディスプレイ２及びスピーカ３への入力経路を切換える。すなわち、入力切換部１３は、制御部１６による制御のもと、チューナ１１により生成された映像信号及び音声信号を映像音声処理部１４に出力する状態と、ＨＤＤ１２によりハードディスク３０から読出された映像信号及び音声信号を映像音声処理部１４に出力する状態と、に選択的に切換える。
【００３１】
映像音声処理部１４は、制御部１６による制御のもと、入力切換部１３から出力された映像信号に対して、画質を調整するための処理や各種映像をＯＳＤ表示するためのＯＳＤ加工処理を含む各種の映像信号処理を行い、その処理後の映像信号を出力する。また、映像音声処理部１４は、制御部１６による制御のもと、入力切換部１３から出力された音声信号に対して、音質を調整するための処理や音量を調整するための処理を含む各種の音声信号処理を行い、その処理後の音声信号を出力する。
【００３２】
映像音声処理部１４から出力された映像信号は、ディスプレイ２に入力され、映像音声処理部１４から出力された音声信号は、スピーカ３に入力される。これにより、その映像信号による映像がディスプレイ２に表示されると共に、その音声信号による音声がスピーカ３から出力される。
【００３３】
メモリ１５は、制御部１６による制御のもと、機能割当リストを記憶する。機能割当リストは、本体操作キー４ａ〜４ｉへのテレビジョン受信装置１の実行する機能の割当てを示すリスト（テーブル）であって、本体操作キー４ａ〜４ｉと（本体操作キー４ａ〜４ｉを操作したときに出力される本体操作信号の電圧値と）テレビジョン受信装置１の実行する機能との対応関係を示すリストである。また、メモリ１５は、制御部１６による制御のもと、テレビジョン受信装置１の動作に関わる各種データを記憶する。
【００３４】
制御部１６は、テレビジョン受信装置１の動作を制御するためのプログラムや各種データを記憶しており、それらプログラムや各種データに基いて、テレビジョン受信装置１の各種動作を制御する。
【００３５】
制御部１６は、本体操作部４から出力される本体操作信号に基いて（本体操作信号の電圧値を解釈することにより）、本体操作部４の操作内容（本体操作キー４ａ〜４ｉの操作）を判断し、本体操作部４の操作を受けて、テレビジョン受信装置１の各種動作を制御する。このとき、制御部１６は、メモリ１５に記憶している機能割当リストに基いて、本体操作キー４ａ〜４ｉに割当てられた機能を判断し、本体操作キー４ａ〜４ｉの操作に応じて、本体操作キー４ａ〜４ｉに割当てられた機能を実行する。
【００３６】
また、制御部１６は、リモコン受信部１５から出力されるリモコン受信信号に基いて、リモコン２０の操作内容を判断し、リモコン２０の操作を受けて、テレビジョン受信装置１の各種動作を制御する。
【００３７】
制御部１６は、テレビジョン信号の受信を行う。すなわち、制御部１６は、テレビジョン信号を受信することを指令すると共に受信するチャンネルを指定する制御信号をチューナ１１に与える。これにより、チューナ１１において、指定されたチャンネルのテレビジョン信号が受信される。
【００３８】
また、制御部１６は、テレビジョン信号による映像、音声の録画、録音を行う。すなわち、制御部１６は、チューナ１１により生成された映像信号及び音声信号を記録することを指令する制御信号をＨＤＤ１２に与える。これにより、ＨＤＤ１２において、チューナ１１により生成された映像信号及び音声信号がハードディスク３０に記録され、テレビジョン信号による映像、音声がハードディスク３０に録画、録音される。
【００３９】
また、制御部１６は、録画、録音した映像、音声の再生を行う。すなわち、制御部１６は、記録されている映像信号及び音声信号を読出すことを指令する制御信号をＨＤＤ１２に与える。これにより、ＨＤＤ１２において、ハードディスク３０に記録されている映像信号及び音声信号が読出され、ハードディスク３０に録画、録音されている映像、音声が再生される。
【００４０】
また、制御部１６は、映像、音声の入力の切換えを行う。すなわち、制御部１６は、映像信号及び音声信号の入力経路を指定する制御信号を入力切換部１３に与える。これにより、入力切換部１３において、映像信号及び音声信号のディスプレイ２及びスピーカ３への入力経路が、指定された入力経路となるように切換えられる。
【００４１】
入力切換部１３における入力経路が、チューナ１１により生成された映像信号及び音声信号をディスプレイ２及びスピーカ３に入力する（映像音声処理部１４に出力する）経路に切換えられることにより、チューナ１１により生成された映像信号及び音声信号が映像音声処理部１４を経由してディスプレイ２及びスピーカ３に入力される。これにより、受信中のテレビジョン信号による映像がディスプレイ２に表示されると共に、受信中のテレビジョン信号による音声がスピーカ３から出力される。
【００４２】
また、入力切換部１３における入力経路が、ハードディスク３０から読出された映像信号及び音声信号をディスプレイ２及びスピーカ３に入力する（映像音声処理部１４に出力する）経路に切換えられることにより、ハードディスク３０から読出された映像信号及び音声信号がディスプレイ２及びスピーカ３に入力される。これにより、ハードディスク３０から再生された映像がディスプレイ２に表示されると共に、ハードディスク３０から再生された音声がスピーカ３から出力される。
【００４３】
また、制御部１６は、スピーカ３から出力する音声の音量の調整を行う。すなわち、制御部１６は、音量を調整（大きく、又は、小さく）することを指令する制御信号を映像音声処理部１４に与える。これにより、映像音声処理部１４において、入力切換部１３から出力された（スピーカ３に入力される）音声信号に対して音量を調整するための音声信号処理が行われ、スピーカ３から出力される音声の音量が調整される。
【００４４】
また、制御部１６は、各種映像のＯＳＤ表示を行う。すなわち、制御部１６は、ＯＳＤ表示することを指令する制御信号と共にＯＳＤ表示する各種映像の映像信号を映像音声処理部１４に与える。これにより、映像音声処理部１４において、入力切換部１３から出力された（ディスプレイ２に入力される）映像信号に対して、制御部１６から与えられた映像信号による各種映像をＯＳＤ表示するための加工処理が行われ、各種映像がディスプレイ２にＯＳＤ表示される。
【００４５】
また、制御部１６は、メニュー、ＥＰＧ、字幕、ユーザに対するメッセージや操作案内等の各種映像の表示を行う。制御部１６は、これらの映像の表示をＯＳＤ表示によって行う。また、制御部１６は、テレビジョン受信装置１の電源のオン、オフを行う。制御部１６は、本体操作キー４ａ〜４ｉの操作に基いて、また、ユーザによるリモコン２０の操作に基いて、これらテレビジョン受信装置１の各種動作（機能）を実行する。
【００４６】
また、制御部１６は、本体操作キー４ａ〜４ｉのうち、本体操作キー４ｂ〜４ｉへの機能の割当てを設定（変更）する。すなわち、制御部１６は、本体操作キー４ｂ〜４ｉへの機能の割当てを設定する機能割当設定動作を実行し、この機能割当設定動作において、本体操作キー４ｂ〜４ｉへの機能の割当てを設定する。制御部１６は、機能割当設定動作を行うための所定の操作（例えば、リモコン２０に設けられた機能割当設定キーを押下する操作、又は、本体操作キー４ｂ〜４ｉのいずれかを所定時間（例えば３秒）以上に亘って押下し続ける操作）がなされると、機能割当設定動作を実行する。制御部１６によって、機能割当設定手段が構成されている。
【００４７】
図３は、本体操作キー４ｂ〜４ｉに割当可能な機能の例を示す。本実施形態では、テレビジョン受信装置１の実行する各種機能のうち、（１）「音量アップ」、（２）「音量ダウン」、（３）「チャンネルアップ」、（４）「チャンネルダウン」、（５）「入力切換」、（６）「メニュー起動、終了」、（７）「ＥＰＧ起動、終了」、（８）「字幕オン、オフ」、・・・の機能が、本体操作キー４ｂ〜４ｉに割当可能になっている。
【００４８】
「音量アップ」の機能は、音声に関する機能（音声の出力に関する機能）であって、出力する音声の音量を大きくする機能である。「音量ダウン」の機能は、音声に関する機能であって、出力する音声の音量を小さくする機能である。
【００４９】
「チャンネルアップ」の機能は、映像に関する機能（映像の表示に関する機能）であって、受信するテレビジョン信号のチャンネルを１つ大きいチャンネルにする機能である。「チャンネルダウン」の機能は、映像に関する機能であって、受信するテレビジョン信号のチャンネルを１つ小さいチャンネルにする機能である。
【００５０】
「入力切換」の機能は、映像及び音声に関する機能であって、映像、音声の入力を切換える機能である。すなわち、「入力切換」の機能は、受信中のテレビジョン信号による映像を表示すると共に、受信中のテレビジョン信号による音声を出力する状態と、ハードディスク３０から再生した映像を表示すると共に、ハードディスク３０から再生した音声を出力する状態と、に切換える機能である。
【００５１】
「メニュー起動、終了」の機能は、映像に関する機能であって、メニューを表示し、また、メニューの表示を終了する機能である。「ＥＰＧ起動、終了」の機能は、映像に関する機能であって、ＥＰＧを表示し、また、ＥＰＧの表示を終了する機能である。「字幕オン、オフ」の機能は、映像に関する機能であって、字幕を表示し、また、字幕の表示を終了する機能である。
【００５２】
なお、テレビジョン受信装置１の実行する各種機能のうち、テレビジョン受信装置１の電源をオン、オフする機能は、予め本体操作キー４ａに固定的に割当てられており、本体操作キー４ｂ〜４ｉに割当不可能になっている。
【００５３】
図４は、テレビジョン受信装置１の機能割当設定動作のフローチャートを示す。上述のように、制御部１６は、機能割当設定動作を行うための所定の操作がなされると、機能割当設定動作を実行する。
【００５４】
機能割当設定動作において、まず、制御部１６は、設定案内を表示する（＃１）。このとき、制御部１６は、設定案内をＯＳＤ表示によってディスプレイ２に表示する。設定案内は、本体操作キー４ｂ〜４ｉへの機能の割当てを設定するための操作をユーザ（生産作業者）に行わせるための案内であり、機能を示す表示、及び機能を割当てたい本体操作キーの操作を促す表示、を含んでいる。＃１の処理では、制御部１６は、ある１つの機能についての設定案内（ある１つの機能の割当てを設定するための操作をユーザ（生産作業者）に行わせるための設定案内）を表示する。すなわち、制御部１６は、設定案内として、ある１つの機能を示す表示、及びその機能を割当てたい本体操作キーの操作を促す表示、を含んだ映像を表示する。つまり、制御部１６は、設定案内として、例えば「音量アップの機能を割当てたい本体操作キーを押下してください」のような映像を表示する。このとき、制御部１６は、本体操作キー４ｂ〜４ｉに割当可能な機能のうち、機能割当設定動作において未だ設定案内に表示していない機能を１つ選択し、その機能についての設定案内を表示する。
【００５５】
そして、設定案内を表示しているときに、本体操作キー４ｂ〜４ｉのいずれかが操作されると（＃２でＹＥＳ）、制御部１６は、その操作された本体操作キーに、設定案内に表示している機能を割当てる（＃３）。すなわち、制御部１６は、その割当てを示すデータ（操作された本体操作キーに設定案内に表示している機能が割当てられていることを示すデータ）をメモリ１５に記憶している機能割当リストに登録して、操作された本体操作キーへの設定案内に表示している機能の割当てを設定する。一方、設定案内を表示しているときに、本体操作キー４ｂ〜４ｉのいずれも操作されることなく所定時間経過すると（＃４でＹＥＳ）、制御部１６は、本体操作キー４ｂ〜４ｉのいずれにも、設定案内に表示している機能を割当てない。＃３又は＃４の後、制御部１６は、設定案内の表示を終了する（＃５）。
【００５６】
続いて、制御部１６は、機能割当設定動作の終了条件を満たすか否かを判断する（＃６）。機能割当設定動作の終了条件は、本体操作キー４ｂ〜４ｉの全てに、テレビジョン受信装置１の実行する機能が割当てられるか、又は、本体操作キー４ｂ〜４ｉに割当可能な全ての機能について、設定案内を表示し終えることである。すなわち、制御部１６は、本体操作キー４ｂ〜４ｉの全てに、テレビジョン受信装置１の実行する機能が割当てられるか、又は、本体操作キー４ｂ〜４ｉに割当可能な全ての機能について、設定案内を表示し終えると、機能割当設定動作の終了条件を満たすと判断し、それ以外は、機能割当設定動作の終了条件を満たさないと判断する。
【００５７】
ここで、機能割当設定動作の終了条件を満たさないと（＃６でＮＯ）、制御部１６は、上記＃１以降の処理を繰り返す。上記＃１以降の処理を繰り返すことにより、制御部１６は、本体操作キー４ｂ〜４ｉに割当可能な全ての機能について、順次、設定案内を表示する（＃１〜＃５の処理を行う）。
【００５８】
そして、機能割当設定動作の終了条件を満たすと（＃６でＹＥＳ）、すなわち、本体操作キー４ｂ〜４ｉの全てに、機能が割当てられるか、又は、本体操作キー４ｂ〜４ｉに割当可能な全ての機能について、設定案内を表示し終える（上記＃１〜５の処理を終える）と、制御部１６は、設定確認画面を表示する（＃７）。このとき、制御部１６は、設定確認画面をＯＳＤ表示によってディスプレイ２に表示する。設定確認画面は、本体操作キー４ｂ〜４ｉへの機能の割当てをユーザ（生産作業者）に確認させるための画面である。すなわち、制御部１６は、設定確認画面として、本体操作キー４ｂ〜４ｉと本体操作キー４ｂ〜４ｉに割当てられた機能との対応関係を示す情報を表示する。
【００５９】
その後、制御部１６は、設定確認画面の表示を終了し（＃８）、機能割当リストに登録した本体操作キー４ｂ〜４ｉへの機能の割当てを示すデータを保存して、機能割当設定動作を終了する。制御部１６は、このように機能割当設定動作を実行して、本体操作キー４ｂ〜４ｉへの機能の割当てを設定する。機能割当設定動作を終了した後において、本体操作キー４ｂ〜４ｉが操作されると、制御部１６は、機能割当リストに登録されている本体操作キー４ｂ〜４ｉへの機能の割当てを示すデータに基いて（すなわち、機能割当設定動作において設定した本体操作キー４ｂ〜４ｉへの機能の割当てに基いて）、本体操作キー４ｂ〜４ｉに割当てられた機能を判断して、本体操作キー４ｂ〜４ｉに割当てられた機能を実行する。
【００６０】
本実施形態のテレビジョン受信装置１によれば、機能割当設定動作によって本体操作キー４ｂ〜４ｉへの機能の割当てを設定することにより、ソフトウェアや回路の変更を伴わずに、本体操作キー４ｂ〜４ｉへの機能の割当てを任意に設定することができる。これにより、複数のモデル間で本体１０の筐体６を共通使用するときに、生産段階において生産作業者が機能割当設定動作によって本体操作キー４ｂ〜４ｉへの機能の割当てを設定することにより、ソフトウェアや回路の変更を伴わずに、複数のモデル間で本体操作キー４ｂ〜４ｉへの機能の割当てを同じ割当てにすることができ、開発工数（費用）の増加を抑制することができる。また、ユーザが新しいモデルの製品に買い替えたときに、ユーザが機能割当設定動作によって本体操作キー４ｂ〜４ｉへの機能の割当てを設定することにより、本体操作キー４ｂ〜４ｉへの機能の割当てをそれまで使用していた製品と同じ割当てに変更することができ、利便性が向上する。
【００６１】
しかも、生産作業者又はユーザは、順次表示される設定案内に従って本体操作キー４ｂ〜４ｉを操作するだけで、本体操作キー４ｂ〜４ｉへの機能の割当てを任意に設定することができる。従って、生産作業者又はユーザは、簡単な操作によって、本体操作キー４ｂ〜４ｉへの機能の割当てを設定することができる。
【００６２】
また、本体操作キー４ｂ〜４ｉへの機能の割当ての設定が完了すると、設定確認画面が自動的に表示される。従って、生産作業者又はユーザは、本体操作キー４ｂ〜４ｉへの機能の割当てを設定したとき、自動的に表示される設定確認画面を見ることによって、本体操作キー４ｂ〜４ｉへの機能の割当ての設定を確認することができる。
【００６３】
＜第２の実施形態＞
次に、第２の実施形態による映像音響機器について説明する。図５、図６は、第２の実施形態による映像音響機器であるテレビジョン受信装置の構成を示す。本実施形態のテレビジョン受信装置１は、上記第１の実施形態におけるディスプレイ２及びスピーカ３を備えておらず、外部機器９０を接続して使用するようになっている。また、本実施形態のテレビジョン受信装置１は、上記第１の実施形態の構成に加え、表示部１９をさらに備えている。本実施形態のテレビジョン受信装置１では、本体１０は、本体操作部４、リモコン受信部５、表示部１９、及び筐体６が一体的に構成されたものである。表示部１９は、ユーザに対するメッセージや操作案内等を表示するものである。
【００６４】
本実施形態において、映像音声処理部１４から出力された映像信号及び音声信号は、外部機器９０に入力される。これにより、その映像信号による映像が外部機器９０のディスプレイ９１に表示されると共に、その音声信号による音声が外部機器９０のスピーカ９２から出力される。表示部１９は、制御部１６による制御のもと、ユーザに対するメッセージや操作案内等を表示する。制御部１６は、上記第１の実施形態と同様に、機能割当設定動作を実行する。但し、本実施形態では、制御部１６は、上記第１の実施形態における＃１の処理において、設定案内を表示部１９に表示する。また、制御部１６は、上記第１の実施形態における＃７及び＃８の処理を行わない（設定確認画面を表示しない）。本実施形態における他の構成、他の動作については、上記第１の実施形態と同様である。
【００６５】
本実施形態のテレビジョン受信装置１によれば、上記第１の実施形態と同様に、ソフトウェアや回路の変更を伴わずに、本体操作キー４ｂ〜４ｉへの機能の割当てを任意に設定することができる。
【００６６】
なお、本実施形態において、設定案内をＯＳＤ表示によって外部機器９０のディスプレイ９１に表示するようにしてもよい。この場合、テレビジョン受信装置１は、表示部１９を備えていなくてもよい。また、設定確認画面をＯＳＤ表示によって外部機器９０のディスプレイ９１に表示するようにしてもよい。
【符号の説明】
【００６７】
１    テレビジョン受信装置（映像音響機器）
１０    本体
２０    リモコン
２    ディスプレイ
３    スピーカ
４    本体操作部
４ａ、４ｂ、４ｃ、４ｄ、４ｅ、４ｆ、４ｇ、４ｈ、４ｉ    本体操作キー
５    リモコン受信部
６    筐体
１１    チューナ
１２    ＨＤＤ
１３    入力切換部
１４    映像音声処理部
１５    メモリ
１６    制御部（機能割当設定手段）
１９    表示部
９０    外部機器
９１    外部機器のディスプレイ
９２    外部機器のスピーカ
【図１】
2013153348.tif 000003
【図２】
2013153348.tif 000004
【図３】
2013153348.tif 000005
【図４】
2013153348.tif 000006
【図５】
2013153348.tif 000007
【図６】
2013153348.tif 000008